(57)【要約】      （修正有）【課題】上枠用樹脂カバー下側と障子上側との間に一定の空間を確保している場合でも、室内外を確実に断熱して冷暖房効率を向上させ、冬季等における室内の結露を防止でき、サッシ枠に障子をけんどん式により建て込むことができるスライディングサッシを提供する。【解決手段】上枠２に外障子６の上框６１を案内する上枠外レール２１ａと、内障子７の上框７１を案内する上枠内レール２１ｂとを備えたスライディングサッシの断熱構造であって、上枠２と上框６１との間に上枠用外樹脂カバー２２を設け、その上枠用外樹脂カバー２２には、下端部が外障子６の上側面に接触ないしは近接するまで垂れ下がる垂下片部を見込み方向に任意の間隔を空けて複数有する外障子用断熱部材２７が設けられている。【選択図】図２
2019143416.tif 000002
【特許請求の範囲】
【請求項１】
上枠に外障子の上框を案内する上枠外レールを備えたスライディングサッシの断熱構造であって、
前記上枠と前記上框との間に上枠用外樹脂カバーを設け、その上枠用外樹脂カバーには、下端部が前記外障子の上側面に接触ないしは近接するまで垂れ下がる垂下片部を見込み方向に任意の間隔を空けて複数有する外障子用断熱部材が設けられていることを特徴とするスライディングサッシの断熱構造。
【請求項２】
上枠に内障子の上框を案内する上枠内レールを備えたスライディングサッシの断熱構造であって、
前記上枠と前記上框との間に上枠用内樹脂カバーを設け、その上枠用内樹脂カバーには、下端部が前記内障子の上側面に接触ないしは近接するまで垂れ下がる垂下片部を見込み方向に任意の間隔を空けて複数有する内障子用断熱部材が設けられていることを特徴とするスライディングサッシの断熱構造。
【請求項３】
請求項１記載の外障子用断熱部材および請求項２記載の内障子用断熱部材を備えたことを特徴とするスライディングサッシの断熱構造。
【請求項４】
請求項１乃至３記載のスライディングサッシの断熱構造において、
前記外障子用断熱部材および／または前記内障子用断熱部材は、弾性変形可能なことを特徴とするスライディングサッシの断熱構造。
【発明の詳細な説明】
【技術分野】
【０００１】
本発明は、サッシ枠内に建て込まれた障子をスライド移動して開閉するスライディングサッシの断熱構造に関する。
【背景技術】
【０００２】
例えば、外障子および内障子が引違いに移動して開閉する引違いサッシの上側には、外障子の上框を案内する上枠外レールと、内障子の上框を案内する上枠内レールとが設けられている（特許文献１参照。）。この引違い窓の構造では、上枠で冷やされた冷気が外障子および内障子の上框に伝わらず、かつ、外障子および内障子をけんどん作業にてサッシ枠に建て込むことができるように、上枠と上框との間に一定の空間を確保している。
【先行技術文献】
【特許文献】
【０００３】
【特許文献１】特開２００２−１３８７６１号公報
【発明の概要】
【発明が解決しようとする課題】
【０００４】
しかしながら、上述の特許文献１に記載の引違いサッシの断熱構造では、上枠と上框との間に一定の空間を確保しているため、外障子および内障子の閉塞時、冬季等においては屋外の外気に触れている上枠によって冷やされた冷気が上枠と上框との間の空間を通って室内側まで伝わり、断熱性能が低下したり、結露が発生し易くなる一方、夏季等においては冷房効率が悪化するという問題がある。
【０００５】
そのため、上枠と上框との間の一定の空間に断熱材を充填することも考えられるが、充填した断熱材によって外障子および内障子をサッシ枠に建て込む際のけんどん作業や、外障子および内障子の走行に不具合を与えるおそれがある。
【０００６】
そこで、本発明は、上枠用樹脂カバー下側と障子上側との間に一定の空間を確保している場合でも、室内外を確実に断熱して冷暖房効率を向上させ、冬季等における室内の結露を防止できると共に、サッシ枠に障子をけんどん式により容易に建て込むことができるスライディングサッシの断熱構造を提供することを目的とする。
【課題を解決するための手段】
【０００７】
前記課題を解決するため、本発明に係るスライディングサッシの断熱構造は、上枠に外障子の上框を案内する上枠外レールを備えたスライディングサッシの断熱構造であって、前記上枠と前記上框との間に上枠用外樹脂カバーを設け、その上枠用外樹脂カバーには、下端部が前記外障子の上側面に接触ないしは近接するまで垂れ下がる垂下片部を見込み方向に任意の間隔を空けて複数有する外障子用断熱部材が設けられていることを特徴とする。
また、本発明に係るスライディングサッシの断熱構造は、上枠に内障子の上框を案内する上枠内レールを備えたスライディングサッシの断熱構造であって、前記上枠と前記上框との間に上枠用内樹脂カバーを設け、その上枠用内樹脂カバーには、下端部が前記内障子の上側面に接触ないしは近接するまで垂れ下がる垂下片部を見込み方向に任意の間隔を空けて複数有する内障子用断熱部材が設けられていることも特徴とする。
また、本発明に係るスライディングサッシの断熱構造は、上述の外障子用断熱部材および内障子用断熱部材を備えたことも特徴とする。
また、本発明に係るスライディングサッシの断熱構造は、前記外障子用断熱部材および／または前記内障子用断熱部材は、弾性変形可能なことを特徴とする。
【発明の効果】
【０００８】
本発明に係る実施形態のスライディングサッシの断熱構造では、上枠と障子の上框との間に上枠用樹脂カバーを設け、その上枠用樹脂カバーには、下端部が障子の上側面に接触ないしは近接するまで垂れ下がる垂下片部を見込み方向に任意の間隔を空けて複数有する障子用断熱部材を設けたため、上枠用樹脂カバー下側と障子上側との間に一定の空間を確保している場合でも、障子用断熱部材によって室内外を確実に断熱して冬季等における結露を防止できると共に、冷暖房効率を向上させることができる。
また、障子用断熱部材は垂下片部を見込み方向に任意の間隔を開けて複数有するので、障子をけんどん式で建て込む際、障子の上框が当接した場合でも、弾性変形し易いので、サッシ枠に障子をけんどん式により容易に建て込むことができる。
【図面の簡単な説明】
【０００９】
【図１】本発明に係る実施形態のスライディングサッシの室内側（内観）を示す正面図である。
【図２】本発明に係る実施形態のスライディングサッシの断熱構造の特徴部分の断面構造を示す部分断面図である。
【図３】図１におけるＡ−Ａ線断面図である。
【図４】図１におけるＢ−Ｂ線断面図である。
【図５】本発明に係る実施形態のスライディングサッシの断熱構造の上枠を見上げた状態を示す平面図である。
【図６】本発明に係る実施形態のスライディングサッシの断熱構造の上枠の斜視図である。
【図７】（ａ），（ｂ）それぞれ本発明に係る実施形態のスライディングサッシの断熱構造を構成する外障子用断熱部材および内障子用断熱部材の斜視図、断面図である。
【発明を実施するための形態】
【００１０】
以下、本発明に係る実施形態のスライディングサッシの断熱構造について、図面を参照して説明する。尚、以下に説明する実施の形態はあくまで本発明の一例であり、本発明が下記に説明する実施の形態に限定されるものではなく、本発明の技術的思想の範囲内で適宜変更可能である。
【００１１】
本発明に係る実施形態のスライディングサッシの断熱構造が適用される引違いサッシ１は、例えば、図１に示すように、上枠２、下枠３および左右の縦枠４，５により四周枠組みしたサッシ枠の中に外障子６と内障子７を引違いに納めたもので、閉塞時には室内側から見て左側に外障子６、右側に内障子７が位置するように構成されている。
【００１２】
＜外障子６、内障子７＞
外障子６および内障子７は、それぞれ、図１〜図４に示すように、アルミ等の軽量金属製の上框６１，７１、戸先框６２，７２、召合框６３，７３、下框６４，７４との間に、二重ガラス６５ａ，６５ｂ，７５ａ，７５ｂを嵌めて構成される。
【００１３】
（上框６１，７１）
上框６１，７１の上部には、それぞれ、後述する上枠外レール２１ａおよび上枠内レール２１ｂを案内するためのレール案内用凹部６１ａ，７１ａが設けられている一方、上框６１，７１の下部には、それぞれ、二重ガラス６５ａ，６５ｂ、７５ａ，７５ｂの上端部が収容されるガラス収容用凹部６１ｂ，７１ｂが設けられている。
【００１４】
そして上框６１，７１のレール案内用凹部６１ａ，７１ａの屋外側上端部および屋内側上端部には、それぞれ、図３や図４等に示すように、熱可塑性エラストマー（ＴＰＥ)やゴム等の軟質部材から形成された気密部材６６，７６を嵌めるための気密部材嵌合用凹部６１ａ１，６１ａ２、７１ａ１，７１ａ２が形成されている。
【００１５】
尚、ガラス収容用凹部６１ｂ，７１ｂには、図３や図４等に示すように、スペーサー６５ｃ，７５ｃを介して張り合わされた二重ガラス６５ａ，６５ｂ、７５ａ，７５ｂの上端部がシーリング材６５ｄ，７５ｄ等を介して設けられている。
【００１６】
また、上框６１，７１の屋内側には、それぞれ、上框６１，７１が冷えた際に屋内側に冷気が遮断されるように外障子樹脂カバー６１ｃと内障子樹脂カバー７１ｃが設けられている。
【００１７】
（外障子樹脂カバー６１ｃ，内障子樹脂カバー７１ｃ）
外障子樹脂カバー６１ｃと内障子樹脂カバー７１ｃは、それぞれ、ポリ塩化ビニル樹脂（ＰＶＣ）等の合成樹脂部材を押出し加工等によって図２等に示すような断面形状に形成したもので、上框６１，７１の屋内側の側面がなるべく露出しないよう、上框６１，７１の屋内側の側面との間に所定厚の空気層を形成するように形成されている。
【００１８】
具体的には、外障子樹脂カバー６１ｃと内障子樹脂カバー７１ｃは、それぞれ、図３および図４に示すように、上框６１，７１の上側面と面一の上側面６１ｃ１，７１ｃ１と、上側面６１ｃ１，７１ｃ１に対し直角に曲がり上框６１，７１の屋内側面と平行な第１垂直面６１ｃ２，７１ｃ２と、第１垂直面６１ｃ２，７１ｃ２下端部から上框６１，７１のガラス収容用凹部６１ｂ，７１ｂの傾斜面に応じて斜め下方に延びる傾斜面６１ｃ３，７１ｃ３と、傾斜面６１ｃ３，７１ｃ３下端部から上框６１，７１のガラス収容用凹部６１ｂ，７１ｂの屋内側垂直面に応じて平行に下方に延びる第２垂直面６１ｃ４，７１ｃ４と、第２垂直面６１ｃ４，７１ｃ４下端部から上框６１，７１のガラス収容用凹部６１ｂ，７１ｂの屋内側垂直面下端部に向かって延びる下側面６１ｃ５，７１ｃ５を備える。
【００１９】
外障子樹脂カバー６１ｃおよび内障子樹脂カバー７１ｃの上側面６１ｃ１，７１ｃ１先端である屋外側端部には、それぞれ、ガラス収容用凹部６１ｂ，７１ｂから上方に延びた屋内側垂直片の屋内側上端部が嵌合する上側嵌合用凹部６１ｃ１１，７１ｃ１１が形成されている一方、下側面６１ｃ５，７１ｃ５先端である屋外側端部には、それぞれ、ガラス収容用凹部６１ｂ，７１ｂを構成する屋内側垂直片の屋内側下端部が嵌合する下側嵌合用凹部６１ｃ５１，７１ｃ５１が形成されている。
【００２０】
＜上枠２＞
上枠２は、図２〜図４等に示すように、上枠本体２１と、上枠用外樹脂カバー２２、上枠用内樹脂カバー２３、内レール用樹脂カバー２４、ビス隠し板２５ａ，２５ｂと、風止板２６と、外障子用断熱部材２７および内障子用断熱部材２８等を備えて構成される。尚、図２や図３等では、風止板２６は省略している。
【００２１】
（上枠本体２１）
上枠本体２１は、アルミ等の軽量金属材を押出し加工や曲げ加工によって所定形状に形成されたもので、図２〜図４に示すように、見込み方向（図２〜図４において紙面の横方向）には、外障子６の上框６１を案内する上枠外レール２１ａと、内障子７の上框７１を案内する上枠内レール２１ｂとを有しており、長手方向（図２〜図４において紙面の表裏方向）には左右の縦枠４，５まで延出するように構成されている。
【００２２】
上枠本体２１は、図２〜図４に示すように、その下側に上枠用外樹脂カバー２２および上枠用内樹脂カバー２３をそれぞれビス８１ａ，８１ｂによって固定できるようにビス孔が設けられている。
【００２３】
また、上枠本体２１には、上枠本体２１下側に上枠用外樹脂カバー２２をビス８１ａで固定する際、上枠本体２１および上枠用外樹脂カバー２２のビス孔同士の位置合わせが容易等になるようＬ字形状の上枠側係合部２１ｃも設けられている。
【００２４】
（上枠用外樹脂カバー２２）
上枠用外樹脂カバー２２は、外障子樹脂カバー６１ｃや内障子樹脂カバー７１ｃと同様にポリ塩化ビニル樹脂（ＰＶＣ）等の合成樹脂部材を押出し加工等によって見込み方向に図２〜図４に示すような断面形状に形成したもので、長手方向には図５や図６に示すように内観で上枠２１の左端から風止板２６の左側面まで延出する長さＬ１で構成されており、上枠本体２１の上枠外レール２１ａと上枠内レール２１ｂとの間にビス８１ａによって取り付けられるように構成されている。つまり、上枠用外樹脂カバー２２は、外障子６および内障子７を閉めた際における外障子６の上方側にのみ設けられる。
【００２５】
上枠用外樹脂カバー２２の屋外側端部は、外障子樹脂カバー６１ｃの上側面６１ｃ１の屋外側端部に形成された上側嵌合用凹部６１ｃ１１上方近くまで延びており、その屋外側端部には、外障子用断熱部材２７の嵌合部２７ａを嵌合させて取り付ける断熱部材嵌合部２２ａが形成されている。
【００２６】
また、上枠用外樹脂カバー２２におけるビス８１ａが挿入される箇所は、ビス８１ａの頭部が突出しないよう凹んだビス用凹部２２ｂが設けられ、ビス用凹部２２ｂに長手方向に適宜間隔でビス孔が設けられ、ビス８１ａが挿入された後、ビス隠し板２５ａで遮蔽されるように構成されている。
【００２７】
断熱部材嵌合部２２ａとビス用凹部２２ｂとの間には、上方に向かって突出して上枠本体２１下側の上枠側係合部２１ｃに係合する上枠用外樹脂カバー側係合部２２ｃが設けられている。
【００２８】
（上枠用内樹脂カバー２３）
上枠用内樹脂カバー２３は、上枠用外樹脂カバー２２等と同様にポリ塩化ビニル樹脂（ＰＶＣ）等の合成樹脂部材を押出し加工等によって見込み方向に図２〜図４に示すような断面形状に形成したもので、上枠本体２１と対向して延びる上側面２３ａと、上側面２３ａの屋内側端部から垂直に垂れ下がる垂直面２３ｂと、垂直面２３ｂ下端部から屋内側へ水平に延びる下側面２３ｃ等を備えて断面階段状ないしは略Ｚ形状に形成されている。
【００２９】
また、上枠用内樹脂カバー２３は、長手方向には図５や図６に示すように内観で上枠２１の左右両端まで延出する長さＬ２で構成されており、上枠本体２１の上枠内レール２１ｂよりも屋内側にビス８１ｂによって取り付けられるように構成されている。つまり、上枠用内樹脂カバー２３は、図５や図６に示すように長手方向には上枠用外樹脂カバー２２よりも長く外障子６および内障子７の両側に設けられている。
【００３０】
上枠用内樹脂カバー２３の上側面２３ａの屋外側端部は、図２や図４に示すように上枠内レール２１ｂ近くまで延びており、その屋外側端部には、内障子用断熱部材２８の嵌合部２８ａを嵌合させて取り付ける断熱部材嵌合部２３ａ１が形成されている。
【００３１】
また、上枠用内樹脂カバー２３の上側面２３ａにおけるビス８１ｂが挿入される箇所は、ビス８１ｂの頭部が突出しないよう凹んだビス用凹部２３ａ２が設けられ、ビス用凹部２３ａ２に長手方向に適宜間隔でビス孔が設けられており、ビス８１ｂが挿入された後、ビス隠し板２５ｂで遮蔽されるように構成されている。
【００３２】
（内レール用樹脂カバー２４）
内レール用樹脂カバー２４は、上枠用外樹脂カバー２２や上枠用内樹脂カバー２３等と同様にポリ塩化ビニル樹脂（ＰＶＣ）等の合成樹脂部材を押出し加工等によって形成されたもので、図２〜図４に示すように上枠用外樹脂カバー２２と上枠用内樹脂カバー２３との間に設けられ、上枠内レール２１ｂで冷やされた冷気が屋内へ侵入しないよう上枠内レール２１ｂを覆うように見込み方向の断面がほぼＵ字形状に形成され、長手方向には図５や図６に示すように内観で上枠２１の左右両端まで延出する上枠内レール２１ｂの長さＬ２とほぼ同じ長さで構成されている。尚、本実施形態では、上枠用内樹脂カバー２３と内レール用樹脂カバー２４を別部材としているが、これらを一体部材としても良い。
【００３３】
（ビス隠し板２５ａ，２５ｂ）
ビス隠し板２５ａ，２５ｂは、それぞれ、上枠用外樹脂カバー２２と上枠用内樹脂カバー２３とを上枠２に固定するビス８１ａ，８１ｂを隠すためのもので、上枠用外樹脂カバー２２と上枠用内樹脂カバー２３等と同様に合成樹脂等によって形成されており、上枠用外樹脂カバー２２のビス用凹部２２ｂと、上枠用内樹脂カバー２３のビス用凹部２３ａ２とに嵌めて取り付けられる。
【００３４】
（風止板２６）
風止板２６は、図５や図６に示すように上枠２における召合部、すなわち外障子６および内障子７を閉めた際、外障子６および内障子７の召合框６３，７３同士が重なった上部において、内レール用樹脂カバー２４を境にして屋外側と屋内側にそれぞれ設けられるもので、硬質の合成樹脂から構成されたベース部（図示略）に、気密部材６６，７６と同様な熱可塑性エラストマー（ＴＰＥ)等の軟質部材が一体成型されている。
【００３５】
（外障子用断熱部材２７，内障子用断熱部材２８）
外障子用断熱部材２７および内障子用断熱部材２８は、気密部材６６，７６と同様に熱可塑性エラストマー（ＴＰＥ)やゴム等の軟質部材から形成されたもので、本実施形態では、同一素材、同一断面形状で構成されており、外障子用断熱部材２７は、図５や図６に示すように、上枠２１の左端から風止板２６の左側面まで延出する上枠用外樹脂カバー２２とほぼ同じ長さＬ１で構成されている一方、内障子用断熱部材２８は、上枠２１の右端から風止板２６の右側面までの長さＬ３で構成されている。なお、外障子用断熱部材２７の長さＬ１と内障子用断熱部材２８の長さＬ３とは同一でも良い。
【００３６】
外障子用断熱部材２７および内障子用断熱部材２８の見込み方向の断面形状は、図７（ａ），（ｂ）に示すように下方開放の断面コ字形状に形成されており、それぞれ、断熱部材嵌合部２２ａ，２３ａ１に嵌合する嵌合部２７ａ，２８ａと、嵌合部２７ａ，２８ａの幅より幅が狭い幅狭部２７ｂ，２８ｂと、幅狭部２７ｂ，２８ｂから左右の水平方向にほぼＷ１の幅になるまで広がる幅広部２７ｃ，２８ｃと、その幅広部２７ｃ，２８ｃから鉛直方向に長さＨ１だけ垂れ下がり、下端部が断面略半円状に形成された一対の垂下片部２７ｄ，２７ｅ、２８ｄ，２８ｅを備えている。
【００３７】
幅広部２７ｃ，２８ｃの内幅Ｗ１は、図２〜図４に示すように、外障子樹脂カバー６１ｃの上側面６１ｃ１の見込み方向の幅や内障子７の上框７１上部の屋内側の気密部材嵌合用凹部７１ａ２の幅等に基づき設定されている一方、垂下片部２７ｄ，２７ｅ、２８ｄ，２８ｅの長さＨ１は、垂下片部２７ｄ，２７ｅ、２８ｄ，２８ｅ下端部がアルミ等の軽量金属部材から構成された外障子６および内障子７の上框６１，７１に接触するか、あるいは僅かに接触しない（本実施形態では約２mm）程度の長さに設定されている。
【００３８】
具体的には、外障子用断熱部材２７の屋外側の垂下片部２７ｄは、図２や図３に示すように外障子樹脂カバー６１ｃの上側面６１ｃ１の屋外側先端部よりも屋内側上方に位置する一方、外障子用断熱部材２７の屋内側の垂下片部２７ｅは、外障子樹脂カバー６１ｃの上側面６１ｃ１の屋内側端部上方、すなわち外障子樹脂カバー６１ｃの第１垂直面６１ｃ２のほぼ上方に位置するように取り付けられ、外障子用断熱部材２７の垂下片部２７ｄ，２７ｅは、アルミ等の軽量金属部材から構成された外障子６の上框６１の上方からはずれた位置に取り付けられる。
【００３９】
そして、外障子用断熱部材２７の垂下片部２７ｄ，２７ｅは、それぞれ、その下端部が外障子樹脂カバー６１ｃの上側面６１ｃ１に接触するか、あるいは僅かに接触しない程度に近接する長さＨ１に形成されている。尚、長さＨ１は、障子の建て付け調整量（下車の上げ寸法）から決めても良い。
【００４０】
そのため、外障子用断熱部材２７は、外障子樹脂カバー６１ｃの上側面６１ｃ１との間で幅Ｗ１、高さＨ１、長手方向に長さＬ１前後の空気溜りとなる断熱用空間２７ｆを形成する。この断熱用空間２７ｆは空気の対流が少なく、断熱層として機能するので、外障子６および内障子７の閉塞時、上枠外レール２１ａで冷やされたり暖められた空気が屋内側に流入したり、その空気の温度が屋内側に伝達することや、その反対に屋内側の空気やその温度が屋外へ伝達すること等を防止する。
【００４１】
これに対し、内障子用断熱部材２８の屋外側の垂下片部２８ｄは、図２や図４に示すように上框７１のレール案内用凹部７１ａの屋内側上端部の気密部材取付用嵌合部７１ａ２に嵌合した熱可塑性エラストマー（ＴＰＥ)やゴム等の軟質部材から形成された内障子用気密部材７６の上方に位置する一方、内障子用断熱部材２８の屋内側の垂下片部２８ｅは、樹脂製の内障子樹脂カバー７１ｃの上側面７１ｃ１の屋外側端部上方に位置するように取り付けられ、内障子用断熱部材２８の垂下片部２８ｄ，２８ｅは、アルミ等の軽量金属部材から構成された内障子７の上框７１の上方からはずれた位置に取り付けられる。
【００４２】
そして、内障子用断熱部材２８の垂下片部２８ｄ，２８ｅは、それぞれ、その下端部が内障子用気密部材７６または内障子樹脂カバー７１ｃの上側面７１ｃ１に接触するか、あるいは僅かに接触しない程度に近接するような長さＨ１で設けられている。
【００４３】
そのため、内障子用断熱部材２８は、内障子用気密部材７６や内障子７の上框７１の気密部材嵌合用凹部７１ａ２、内障子樹脂カバー７１ｃの上側面７１ｃ１先端部との間で幅Ｗ１、高さＨ１、長さＬ３前後の空気溜りとなる断熱用空間２８ｆを形成する。この断熱用空間２８ｆは空気の対流が少なく、断熱層として機能するので、外障子６および内障子７の閉塞時、上枠内レール２１ｂや内レール用樹脂カバー２４で冷やされたり暖められた空気が屋内側に流入したり、その空気の温度が屋内側に伝達することや、その反対に屋内側の空気やその温度が屋外へ伝達すること等を防止する。
【００４４】
＜本実施形態の引違いサッシ１の断熱構造の主な効果＞
以上説明したように本実施形態の引違いサッシ１の断熱構造では、上枠外レール２１ａと上枠内レール２１ｂとの間に長手方向で上枠２１の左端から風止板２６の左側面まで延出する長さＬ１の上枠用外樹脂カバー２２を設け、その上枠用外樹脂カバー２２の下側に、下端部が外障子６の上側面を構成する外障子樹脂カバー６１ｃの上側面６１ｃ１に接触ないしは近接するまで垂れ下がる一対の垂下片部２７ｄ，２７ｅを見込み方向に有する外障子用断熱部材２７を設けている。
【００４５】
そのため、上枠用外樹脂カバー２２下側と外障子６上側との間に外障子６をけんどん式で建て込むための一定の空間を確保している場合、外障子６および内障子７の閉塞時、外障子６側の上枠外レール２１ａによって冷やされたり暖められた空気がその空間を通って屋内側に流入したり、その空気の温度が屋内側に伝達することや、その反対に屋内側の空気やその温度が屋外へ伝達しようとするが、本実施形態の引違いサッシ１の断熱構造では、上枠用外樹脂カバー２２下側に外障子用断熱部材２７を設けて断熱を図っているので、外障子６および内障子７の閉塞時、外障子６側の上枠外レール２１ａで冷やされたり暖められた空気が屋内側に流入したり、その空気の温度が屋内側に伝達することや、その反対に屋内側の空気やその温度が屋外へ伝達すること等を防止して、冷暖房効率を向上させることができ、冬季等における室内の結露も極力防止できる。
【００４６】
特に、外障子用断熱部材２７は、熱可塑性エラストマー（ＴＰＥ)やゴム等の軟質部材から形成されていると共に、見込み方向に任意の間隔Ｗ１を開けて２枚の垂下片部２７ｄ，２７ｅを有する下方開放の断面コ字形状で形成されているため、外障子６をけんどん式で建て込む際、外障子６の上框６１や外障子樹脂カバー６１ｃ等が垂下片部２７ｄ，２７ｅに当接した場合でも弾性変形し易く、外障子６の建て込みを阻害しないので、引違いサッシ１のサッシ枠に外障子６を容易に建て込むことができる。
【００４７】
また、外障子用断熱部材２７の垂下片部２７ｄ，２７ｅ下端部が、外障子６の上部に接触ないしは僅かに接触しない程度に近接している。
【００４８】
そのため、外障子用断熱部材２７が外障子樹脂カバー６１ｃの上側面６１ｃ１との間で形成する幅Ｗ１、高さＨ１、長さＬ１前後の断熱用空間２７ｆは空気の対流が少ない断熱層として機能すると共に、全て熱可塑性エラストマー（ＴＰＥ)やゴム等の軟質部材または樹脂等の熱伝導率が低い部材となるので、外障子６および内障子７の閉塞時、上枠外レール２１ａで冷やされたり暖められた空気が屋内側に流入したり、その空気の温度が屋内側に伝達することや、その反対に屋内側の空気やその温度が屋外へ伝達すること等を防止して、冷暖房効率を向上させることができ、冬季等における室内の結露も極力防止できる。
【００４９】
また、上枠内レール２１ｂに内レール用樹脂カバー２４を設けない場合、外障子６および内障子７の閉塞時、上枠内レール２１ｂの外側が屋外に露出するが、本実施形態の引違いサッシ１の断熱構造では、上枠内レール２１ｂを内レール用樹脂カバー２４によって覆い、熱伝導性の高い金属製の上枠内レール２１ｂが外気に直接触れないように構成したため、この点でも冷暖房効率を向上させることができ、冬季等における室内の結露も極力防止できる。
【００５０】
また、本実施形態の引違いサッシ１の断熱構造では、上枠外レール２１ａと上枠内レール２１ｂとの間に上枠用内樹脂カバー２３を設け、その上枠用内樹脂カバー２３下側であって上枠２１の右端から風止板２６の右側面までの長さＬ３の部分にも、下端部が内障子７の上側面を構成する内障子用気密部材７６や内障子樹脂カバー７１ｃの上側面７１ｃ１に接触ないしは近接するまで垂れ下がる一対の垂下片部２８ｄ，２８ｅを有する内障子用断熱部材２８を設けて、外障子側と同様に断熱用空間２８ｆを形成している。
【００５１】
そのため、上枠用外樹脂カバー２２下側に外障子用断熱部材２７を設けただけの場合よりも、外障子６および内障子７の閉塞時、さらに内障子７側の上枠内レール２１ｂや内レール用樹脂カバー２４等によって冷やされたり暖められた空気が屋内側に流入したり、その空気の温度が屋内側に伝達することや、その反対に屋内側の空気やその温度が屋外へ伝達すること等を防止でき、さらに冷暖房効率を向上させることができると共に、冬季等における室内の結露もさらに防止できる。
【００５２】
また、外障子６および内障子７の開閉の際、外障子用断熱部材２７の垂下片部２７ｄ，
２７ｅの下端部がそれぞれ外障子樹脂カバー６１ｃの上側面６１ｃ１に接触して摺接したり、内障子用断熱部材２８の垂下片部２８ｄ，２８ｅ下端部がそれぞれ内障子用気密部材７６や内障子樹脂カバー７１ｃの上側面７１ｃ１に接触して摺接した場合でも、外障子用断熱部材２７の垂下片部２７ｄ，２７ｅ下端部および内障子用断熱部材２８の垂下片部２８ｄ，２８ｅ下端部が断面略半円状に形成されているため、点で接触して摺接する。よって、断熱用空間２７ｆ，２８ｆが閉鎖した形状（中空形状）に形成された場合に、面で接触して摺接することに対して、外障子用断熱部材２７の垂下片部２７ｄ，２７ｅ下端部および内障子用断熱部材２８の垂下片部２８ｄ，２８ｅ下端部の摩耗を防止でき、長期間に亘って冷暖房効率を向上させることが可能となる。また、障子の走行に不具合を与えることもない。
【００５３】
尚、上記実施形態の説明では、外障子用断熱部材２７と内障子用断熱部材２８とは、図７等に示すように、それぞれ、一対、すなわち２枚の垂下片部２７ｄ，２７ｅ、２８ｄ，２８ｅを有すものとして説明したが、本発明では、これに限らず、下端部がそれぞれ外障子６と内障子７の上側面に接触ないしは近接するまで垂れ下がる垂下片部を見込み方向に任意の間隔を空けて複数有し、１または複数の断熱用空間を形成すれば十分であるので、３枚以上の垂下片部を見込み方向に任意の間隔を空けて設けて、２以上の断熱用空間を形成するように構成しても勿論良いし、また垂下片部の下端部を水平方向に連結するように構成しても勿論良い。さらに、本発明に係るスライディングサッシの断熱構造は、引違い窓に限らず、片引き窓（内動、外動）や両引き窓に適用することもできる。
【符号の説明】
【００５４】
１  引違いサッシ（スライディングサッシ）
２  上枠
２１  上枠本体
２１ａ  上枠外レール
２１ｂ  上枠内レール
２１ｃ  上枠側係合部
２２  上枠用外樹脂カバー
２２ａ  断熱部材嵌合部
２２ｂ  ビス用凹部
２２ｃ  上枠用外樹脂カバー側係合部
２３  上枠用内樹脂カバー
２３ａ  上側面
２３ａ１  断熱部材嵌合部
２３ａ２  ビス用凹部
２４  内レール用樹脂カバー
２５ａ，２５ｂ  ビス隠し板
２６  風止板
２７  外障子用断熱部材
２７ａ  嵌合部
２７ｂ  幅狭部
２７ｃ  幅広部
２７ｄ，２７ｅ  垂下片部
２７ｆ  断熱用空間
２８  内障子用断熱部材
２８ａ  嵌合部
２８ｂ  幅狭部
２８ｃ  幅広部
２８ｄ，２８ｅ  垂下片部
２８ｆ  断熱用空間
３  下枠
４，５  縦枠
６  外障子
６１  上框
６１ａ  レール案内用凹部
６１ａ１，６１ａ２  気密部材嵌合用凹部
６１ｂ  ガラス収容用凹部
６１ｃ  外障子樹脂カバー
６２  戸先框
６３  召合框
６４  下框
６５ａ，６５ｂ  二重ガラス
６６  気密部材
７  内障子
７１  上框
７１ａ  レール案内用凹部
７１ａ１，７１ａ２  気密部材嵌合用凹部
７１ｂ  ガラス収容用凹部
７１ｃ  内障子樹脂カバー
７２  戸先框
７３  召合框
７４  下框
７５ａ，７５ｂ  二重ガラス
７６  気密部材
８１ａ，８１ｂ  ビス
【図１】
2019143416.tif 000003
【図２】
2019143416.tif 000004
【図３】
2019143416.tif 000005
【図４】
2019143416.tif 000006
【図５】
2019143416.tif 000007
【図６】
2019143416.tif 000008
【図７】
2019143416.tif 000009